(57)【特許請求の範囲】
【請求項１】
放送番組の放送時間中に、該放送番組に関連する複数の楽曲からなる楽曲リストと前記楽曲リストに含まれる前記楽曲に関連するオーディオデータの一部である試聴データと前記楽曲リストに含まれる前記楽曲に関連する画像データと予約が可能な楽曲リストとを受信する受信手段と、
前記受信手段が受信した楽曲リスト又は前記予約が可能な楽曲リストを表示手段に表示させる表示制御手段と、
前記表示手段に表示された楽曲リストから第１の操作入力により選択された楽曲の試聴データを再生するとともに、前記第１の操作入力により選択された楽曲に関連する画像データを前記表示手段に表示させる再生手段と、
第２の操作入力により選択された楽曲のオーディオデータをダウンロードするダウンロード手段とを有し、
前記ダウンロード手段は、第３の操作入力により前記予約が可能な楽曲リストから選択された楽曲のオーディオデータを前記予約に対応する放送番組の放送時間中にダウンロードする
情報処理装置。
【請求項２】
前記ダウンロード手段が前記オーディオデータをダウンロードしたことを示すダウンロード情報を、課金処理を行う課金サーバへ送信する請求項１記載の情報処理装置。
【請求項３】
前記ダウンロード手段は外部記憶媒体に前記オーディオデータを記憶する請求項２記載の情報処理装置。
【請求項４】
前記受信手段は、前記楽曲リストに含まれる前記楽曲の歌詞データをさらに受信する請求項３記載の情報処理装置。
【請求項５】
前記再生手段は、前記第１の操作入力により選択された前記試聴データを再生するとともに、前記選択された前記オーディオデータに関連する前記歌詞データを表示させる請求項４記載の情報処理装置。
【請求項６】
前記再生手段は、前記試聴データの再生に同期させて、前記歌詞データを表示させる請求項５記載の情報処理装置。
【請求項７】
前記ダウンロード手段は、前記第２の操作入力により選択された楽曲に関連する前記歌詞データをダウンロードする請求項６記載の情報処理装置。
【請求項８】
暗号化データを復号する復号化手段をさらに有し、
前記受信手段は暗号化された前記オーディオデータおよび暗号化された前記画像データおよび暗号化された前記歌詞データを受信し、
前記復号化手段は受信手段が受信した前記オーディオデータおよび前記画像データおよび前記歌詞データを復号化する請求項７記載の情報処理装置。
【請求項９】
放送番組の放送時間中に、該放送番組に関連する複数の楽曲からなる楽曲リストと前記楽曲リストに含まれる前記楽曲に関連するオーディオデータの一部である試聴データと前記楽曲リストに含まれる前記楽曲に関連する画像データと予約が可能な楽曲リストとを受信する受信工程と、
前記受信工程で受信した楽曲リスト又は前記予約が可能な楽曲リストを表示手段に表示させる表示制御工程と、
前記表示手段に表示された楽曲リストから第１の操作入力により選択された楽曲の試聴データを再生するとともに、前記第１の操作入力により選択された楽曲に関連する画像データを前記表示手段に表示させる再生工程と、
第２の操作入力により選択された楽曲のオーディオデータをダウンロードするダウンロード工程を有し、
前記ダウンロード工程では、第３の操作入力により前記予約が可能な楽曲リストから選択された楽曲のオーディオデータを前記予約に対応する放送番組の放送時間中にダウンロードする
情報処理方法。
【請求項１０】
コンピュータに、
放送番組の放送時間中に、該放送番組に関連する複数の楽曲からなる楽曲リストと前記楽曲リストに含まれる前記楽曲に関連するオーディオデータの一部である試聴データと前記楽曲リストに含まれる前記楽曲に関連する画像データと予約が可能な楽曲リストとを受信する受信機能と、
前記受信機能により受信した楽曲リスト又は前記予約が可能な楽曲リストを表示手段に表示させる表示制御機能と、
前記表示手段に表示された楽曲リストから第１の操作入力により選択された楽曲の試聴データを再生するとともに、前記第１の操作入力により選択された楽曲に関連する画像データを前記表示手段に表示させる再生機能と、
第２の操作入力により選択された楽曲のオーディオデータをダウンロードし、又は、第３の操作入力により前記予約が可能な楽曲リストから選択された楽曲のオーディオデータを前記予約に対応する放送番組の放送時間中にダウンロードする機能と
を実現させるためのプログラムを記録したコンピュータ読み取り可能な記録媒体。
【発明の詳細な説明】
【技術分野】
【０００１】
本発明は、デジタル衛星放送により音楽放送を行うシステムに用いて好適な情報処理装置および情報処理方法に関するものである。
【背景技術】
【０００２】
最近、画像データや音楽データ等をデジタルデータとして送信するデジタル放送が注目され、普及が進んでいる。デジタル衛星放送の利点としては、既存のアナログ放送に比べて、同じ伝送路において、ノイズやフェージングに強く、高品質の信号を伝送可能であることが挙げられる。また、周波数利用効率が向上され、多チャンネル化が図れる。例えば、デジタル衛星放送では１つの衛星で数百チャンネルを確保することが可能である。このようなデジタル衛星放送では、スポーツ、映画、音楽、ニュース等の専門チャンネルが多数用意されており、これらの専門チャンネルでは、それぞれの専門のコンテンツのプログラムが放映されている。
【０００３】
これらの専門チャンネルの中で、音楽チャンネルは、人気のあるチャンネルの１つであり、主に新曲やヒット曲の紹介等を行うプロモーション用の番組が放送されている。
【０００４】
上述のように、従来の音楽チャンネルでは、新曲紹介やヒット曲の番組が動画と音声で送られている。視聴者は、このような音楽チャンネルを見ていて気に入った楽曲があると、紹介されている楽曲のＣＤ等を購入して、楽しみたいと考えることがある。また、その楽曲のアーティストの情報や、その楽曲の収められているアルバムの情報を知りたくなることがある。音楽番組を見ていて、その楽曲のアーティストの情報やその楽曲の収められているアルバムの情報を知りたくなったら、その場でその情報が得られ、また、気に入った楽曲があったら、その楽曲のオーディオデータをダウンロードできれば非常に便利である。
【０００５】
従来技術として、次の特許文献１に記載のものが知られている。
【０００６】
【特許文献１】国際公開第９４／１８７９２号パンフレット
【発明の開示】
【発明が解決しようとする課題】
【０００７】
ところが、従来の音楽チャンネルでは、楽曲に関する動画と音声が一方的に送られるものであり、このような要請には応えられない。
【０００８】
そこで、このような問題点を解決するために、音楽チャンネルで放送されている音楽に関する情報を簡単に得ることができると共に、その楽曲データをデータ蓄積装置に簡単にダウンロードできるようにした音楽コンテンツ配信システムが、ＰＣＴ出願：ＰＣＴ／ＪＰ９８／０５４４（出願日１９９８年１１月１０日）の明細書及び図面に開示されている。
【０００９】
本発明はこのような状況に鑑みてなされたもので、上述したような音楽コンテンツ配信システムにおいて、楽曲のオーディオデータを容易にダウンロードできるようにした情報処理装置および情報処理方法を提供することを目的とする。
【課題を解決するための手段】
【００１０】
本発明に係る情報処理装置は、放送番組の放送時間中に、該放送番組に関連する複数の楽曲からなる楽曲リストと前記楽曲リストに含まれる前記楽曲に関連するオーディオデータの一部である試聴データと前記楽曲リストに含まれる前記楽曲に関連する画像データと予約が可能な楽曲リストとを受信する受信手段と、前記受信手段が受信した楽曲リスト又は前記予約が可能な楽曲リストを表示手段に表示させる表示制御手段と、前記表示手段に表示された楽曲リストから第１の操作入力により選択された楽曲の試聴データを再生するとともに、前記第１の操作入力により選択された楽曲に関連する画像データを前記表示手段に表示させる再生手段と、第２の操作入力により選択された楽曲のオーディオデータをダウンロードするダウンロード手段とを有し、前記ダウンロード手段は、第３の操作入力により前記予約が可能な楽曲リストから選択された楽曲のオーディオデータを前記予約に対応する放送番組の放送時間中にダウンロードする。
【００１１】
本発明に係る情報処理方法は、放送番組の放送時間中に、該放送番組に関連する複数の楽曲からなる楽曲リストと前記楽曲リストに含まれる前記楽曲に関連するオーディオデータの一部である試聴データと前記楽曲リストに含まれる前記楽曲に関連する画像データと予約が可能な楽曲リストとを受信する受信工程と、前記受信工程で受信した楽曲リスト又は前記予約が可能な楽曲リストを表示手段に表示させる表示制御工程と、前記表示手段に表示された楽曲リストから第１の操作入力により選択された楽曲の試聴データを再生するとともに、前記第１の操作入力により選択された楽曲に関連する画像データを前記表示手段に表示させる再生工程と、第２の操作入力により選択された楽曲のオーディオデータをダウンロードするダウンロード工程を有し、前記ダウンロード工程では、第３の操作入力により前記予約が可能な楽曲リストから選択された楽曲のオーディオデータを前記予約に対応する放送番組の放送時間中にダウンロードする。
【発明の効果】
【００１２】
本発明によれば、楽曲のデジタルオーディオデータと共に、その歌詞データやジャケットデータ等の付加情報もダウンロードすることができる。
【発明を実施するための最良の形態】
【００１３】
以下、本発明に係る情報処理装置及び情報処理方法の好ましい実施の形態について、図面を参照しながら詳細に説明する。
【００１４】
本発明が適用されたシステムは、デジタル衛星放送を使用して音楽番組を放送すると共に、この音楽番組と関連するオーディオデータを配信することにより、視聴者が音楽番組を試聴できるようにし、さらに、試聴して気に入った楽曲があった場合に、その場でその楽曲を簡単に購入できるようにしたものである。
【００１５】
図１は、本発明が適用された音楽コンテンツ配信システムの全体構成を示すものである。この図に示すように、デジタル衛星放送の地上局１には、テレビ番組素材サーバ６からのテレビ番組放送の素材と、楽曲素材サーバ７からの楽曲データの素材と、音声付加情報サーバ８からの音声付加情報と、ＧＵＩ（Graphical User Interface：グラフィカルユーザインタフェース）データサーバ９からのＧＵＩデータとが送られる。
【００１６】
テレビ番組素材サーバ６は、通常の音楽放送番組の素材を提供するサーバである。このテレビ番組素材サーバ６から送られてくる音楽放送番組の素材とはテレビ番組の映像及び音声である。通常の音楽放送番組は、例えば、新曲紹介のプロモーション番組であったり、最新のヒット曲のランキング番組である。
【００１７】
楽曲素材サーバ７は、音楽放送番組の関連したオーディオデータを提供するサーバである。つまり音楽放送番組で紹介しているアーティストの楽曲のオーディオデータや、音楽放送番組で放映されているランキング番組のトップ１０の楽曲のオーディオデータが提供される。この楽曲素材サーバ７は、複数の楽曲のオーディオデータを記憶しており、地上局１へそれらのオーディオデータを送る。後述するが、各楽曲のオーディオデータは、それぞれ、所定の単位時間内において繰り返して放送される。
【００１８】
音声付加情報サーバ８は、楽曲素材サーバ７から提供される楽曲の付加情報、例えば歌詞情報、アーティストのコンサート情報等を提供するものである。
【００１９】
ＧＵＩデータサーバ９は、配信される楽曲のリストページや各楽曲の情報ページの画面を形成するためのデータ、アルバムジャケットの静止画データを形成するためのデータ、ＥＰＧ（Electric Program Guide）用の画面を形成するためのデータ等を提供するものである。詳細は後で説明するように、本発明が適用されるシステムでは、画面上のＧＵＩの操作により、配信される楽曲の歌詞、アーティストのコンサート情報やプロフィール等を画面に表示させることができる。また、画面上のＧＵＩの操作により、楽曲の選択、ダウンロードおよびその予約等を行うことができる。なお、このＧＵＩデータは例えばマルチメディア言語である、ＭＨＥＧ（Multimedia and Hypermedia Information Coding Experts Group）によって記述される。
【００２０】
地上局１は前述した、テレビ番組素材サーバ６からの音楽番組放送の素材となる映像データ及び音声データと、楽曲素材サーバ７からのオーディオデータと、音声付加情報サーバ８からの付加情報と、ＧＵＩデータサーバ９からのＧＵＩデータとを多重化して送信する。このとき、テレビ番組放送の映像データは例えばＭＰＥＧ（Moving Picture Experts Group）２方式により圧縮され、テレビ番組放送の音声データはＭＰＥＧオーディオ方式により圧縮される。楽曲素材サーバ７からのオーディオデータは二つの異なる方式、例えばＭＰＥＧオーディオ方式とＡＴＲＡＣ（Adaptive Transform Acoustic Coding）方式により圧縮される。また、これらのデータは多重化の際、キー情報サーバ１０からのキー情報を用いて暗号化される。
【００２１】
地上局１からの信号は、衛星２を介して各家庭の受信設備３で受信される。衛星２には複数のトランスポンダが搭載されている。１つのトランスポンダは例えば３０Ｍｂｐｓの伝送能力を有している。各家庭の受信設備３としてはパラボラアンテナ１１と、ＩＲＤ（Integrated Receiver Decoder ）１２と、ストレージデバイス１３と、テレビジョン受像機１４とが用意される。
【００２２】
パラボラアンテナ１１で、衛星２を介して送られてきた信号が受信される。この受信信号がパラボラアンテナ１１に取り付けられたＬＮＢ（Low Noise Block Downconverter ）１５で所定の周波数に変換され、ＩＲＤ１２に供給される。
【００２３】
ＩＲＤ１２は受信信号から所定のチャンネルの信号を選択し、映像データ及び音声データの復調および復号を行うものである。また、ＩＲＤ１２は、ＭＨＥＧデコードエンジン機能を有しており、放送信号に多重化されているＭＨＥＧデータを処理して、楽曲のリストページや、各楽曲の情報ページや、ＥＰＧ用の画面を形成する。そして、ＩＲＤ１２の出力はテレビジョン受像機１４に供給される。
【００２４】
ストレージデバイス１３はダウンロードされたオーディオデータを保存するためのものである。例えば、ストレージデバイス１３としては、ミニディスク（ＭＤ、ソニー社商品名）レコーダ／プレーヤ、デジタルオーディオテープレコーダ／プレーヤ、デジタルビデオディスク（ＤＶＤ）レコーダ／プレーヤ等を用いることができる。また、ストレージデバイス１３としてパーソナルコンピュータを用い、そのハードディスクやＣＤ−Ｒにオーディオデータを保存することも可能である。
【００２５】
ＩＲＤ１２は、内部にモデム６３（図６）を搭載しており、このモデム６３を介して電話回線４に接続されており、この電話回線４を介して課金サーバ５と結ばれている。ＩＲＤ１２には、各種情報が記憶されるＩＣカード６５（図６）が挿入されるＩＣカードスロット６２（図６）を有している。楽曲のオーディオデータのダウンロードが行われると、その情報がＩＣカード６５に記憶される。ＩＣカード６５に記憶されたダウンロード履歴情報は、所定のタイミングで電話回線４を介して、課金サーバ５に送られる。課金サーバ５は、このダウンロード情報から適切な課金を行い、視聴者に請求する。このように、適切な課金を行うことにより、ダウンロードされる楽曲の著作権を保護することができる。
【００２６】
このように、本発明が適用されたシステムでは、地上局１は、テレビ番組素材サーバ６からの音楽番組放送の素材となる映像データおよび音声データと、楽曲素材サーバ７からのオーディオデータと、音声付加情報サーバ８からの付加情報データと、ＧＵＩデータサーバ９からのＧＵＩデータとを多重化して送信している。そして、各家庭の受信設備３でこの放送を受信すると、音楽番組が見られる他、送られてきたＧＵＩデータに基づいてＧＵＩ画面が表示される。このＧＵＩ画面を見ながら必要な操作を行うと、各楽曲についての情報ページを見ることができ、また、各楽曲についての試聴を行うことができる。さらに、ＧＵＩ画面を見ながら必要な操作を行うことで、所望の楽曲のオーディオデータをダウンロードして、ストレージデバイス１３に記憶することができる。
【００２７】
次に、受信設備３における視聴者の操作について、さらに詳細に説明する。
【００２８】
各家庭の受信設備３で音楽放送番組を受信している際にはテレビジョン受像機１４の画面全体に音楽放送番組の映像が表示される。このときにリモートコマンダ６４（図６）を用いて所定の操作、例えばリモートコマンダ６４に設けられた「インタラクティブ番組」というボタン（図示せず）を押すことにより、図２に示すような音楽放送番組の映像は縮小され、画面の他の部分に様々な情報が表示される。画面の左上部のテレビ番組表示エリア２１Ａには、テレビ番組素材サーバ６から提供された音楽番組に基づく映像が表示される。画面の右上部には、伝送されているオーディオデータの楽曲のリスト２１Ｂが表示される。また、画面の左下にはテキスト表示エリア２１Ｃとジャケット表示エリア２１Ｄが設定される。さらに、画面の右側には歌詞表示ボタン２２、プロフィール表示ボタン２３、情報表示ボタン２４、予約録音ボタン２５、予約済一覧表示ボタン２６、録音履歴表示ボタン２７、およびダウンロードボタン２８が表示される。尚、これらの画面の表示形態は一例であり、ＧＵＩデータサーバ９から送出されるＭＨＥＧデータをＩＲＤ１２内のＭＨＥＧデコ−ドエンジンで表示処理されたものである。ＧＵＩデータサーバ９から送出されるＭＨＥＧデータを変更することにより様々な画面を表示することが可能である。
【００２９】
視聴者は、このリスト２１Ｂに表示されている楽曲名を見ながら、興味のある楽曲を探していく。そして、興味のある楽曲を見つけたら、リモートコマンダ６４の矢印キーを操作してその楽曲にカーソルを合わせた後、リモートコマンダ６４のエンターキーを押す。これによって、カーソルを合わせた楽曲を試聴することができる。オーディオデータは、所定の単位時間中（関連する音楽放送番組の放映時間中）、同一の複数の楽曲が繰り返し放送されているので、テレビ番組表示エリア２１Ａの画面はそのまま（ただし音声は出力されなくなる）で、指定された楽曲のオーディオデータが放送信号から抽出され、抽出されたオーディオデータがデコードされることにより、その楽曲を聞くことができる。この時、ジャケット表示エリア２１Ｄにはその楽曲のジャケットの静止画像が表示される。
【００３０】
この状態で歌詞表示ボタン２２にカーソルを合わせ、リモードコマンダ６４のエンターキーを押す（以下、ボタンにカーソルを合わせ、エンターキーを押す操作をボタンを押すという）と、テキスト表示エリア２１Ｃに楽曲の歌詞がオーディオデータと同期したタイミングで表示される。同様に、プロフィール表示ボタン２３あるいは情報表示ボタン２４を押すと、楽曲に対応するアーティストのプロフィールあるいはコンサート情報等がテキスト表示エリア２１Ｃに表示される。このように、視聴者は、現在どのような楽曲が配信されているのかを知ることができ、各楽曲についての詳細な情報を知ることができる。
【００３１】
視聴者は試聴した楽曲を購入する場合には、ダウンロードボタン２８を押す。ダウンロードボタン２８が押されると、選択された楽曲のオーディオデータがダウンロードされ、ストレージデバイス１３に記憶される。楽曲のオーディオデータと共に、その歌詞データ、アーティストのプロフィール情報、ジャケットの静止画データ等をダウンロードすることもできる。楽曲がダウンロードされる毎にその情報がＩＲＤ１２内のＩＣカード６５（図６）に記憶される。ＩＣカード６５に記憶された情報は、モデム６３（図６）を介して例えば１カ月に一度ずつ課金サーバ５に送出される。これによって、ダウンロードされる楽曲の著作権を保護することができる。
【００３２】
また、視聴者はあらかじめダウンロードの予約を行う場合には、予約録音ボタン２５を押す。このボタンを押すと、ＧＵＩ画面が切り換わり、予約が可能な楽曲のリストが画面全体に表示される。このリストは１時間単位、１週間単位、ジャンル単位等で検索した楽曲を表示することか可能である。視聴者はこのリストの中からダウンロードの予約を行いたい楽曲を選択すると、その情報がＩＲＤ１２内に登録される。そして、すでにダウンロードの予約を行った楽曲を確認したい場合には、予約済一覧表示ボタン２６を押すことにより、画面全体に表示させることができる。このようにして予約された楽曲は、予約時刻になるとＩＲＤ１２によりダウンロードされ、ストレージデバイス１３に記憶される。
【００３３】
視聴者はダウンロードを行った楽曲について確認したい場合には、録音履歴ボタン２７を押すことにより、既にダウンロードを行った楽曲のリストを画面全体に表示させることかできる。
【００３４】
このように、本発明が適用されたシステムの受信設備３では、テレビジョン受像機１４のＧＵＩ画面上に楽曲のリストが表示される。そして、このＧＵＩ画面上の表示にしたがって楽曲を選択するとその楽曲を試聴することができ、その楽曲の歌詞やアーティストのプロフィール等を知ることができる。さらに、楽曲のダウンロードとその予約、ダウンロードの履歴や予約済楽曲リストの表示等を行うことかできる。
【００３５】
以上、説明したように、本発明が適用された音楽コンテンツ配信システムでは、音楽放送番組が配信されると共に、複数の楽曲のオーディオデータが配信される。そして、配信されている楽曲のリスト等を使用して所望の楽曲を探し、そのオーディオデータをストレージデバイス１３に簡単に保存することができる。以下、このようなシステムについて、更に詳述する。
【００３６】
図３は本発明が適用された音楽コンテンツ配信システムにおける地上局１の構成を示すものである。
【００３７】
図３において、テレビ番組素材登録システム３１（図１のテレビ番組素材サーバ６に相当する）からの映像および音声の素材データはＡＶサーバ３５に登録される。この素材データは映像データと音声データである。ＡＶサーバ３５に登録されたデータは、テレビ番組送出システム３９に送られ、ここで映像データは例えばＭＰＥＧ２方式で圧縮され、音声データは例えばＭＰＥＧオーディオ方式により圧縮されパケット化される。テレビ番組送出システム３９の出力はマルチプレクサ４４に送られる。
【００３８】
また、楽曲素材登録システム３２（図１の楽曲素材サーバ７に相当する）からのオーディオデータは、ＭＰＥＧオーディオエンコーダ３６ＡおよびＡＴＲＡＣエンコーダ３６Ｂに供給され、各々エンコードされた後、ＭＰＥＧオーディオサーバ４０ＡおよびＡＴＲＡＣオーディオサーバ４０Ｂに登録される。ＭＰＥＧオーディオサーバ４０Ａに登録されたＭＰＥＧオーディオデータは、ＭＰＥＧオーディオ送出システム４３Ａに送られ、ここでパケット化された後、マルチプレクサ４４に送られる。ＡＴＲＡＣオーディオサーバ４０Ｂに登録されたＡＴＲＡＣデータは、ＡＴＲＡＣオーディオ送出システム４３Ｂに送られ、パケット化された後、４倍速処理されて、マルチプレクサ４４に送られる。つまりＡＴＲＡＣオーディオデータは４倍速でダウンロードすることが可能とされている。
【００３９】
さらに、音声付加情報登録システム３３（図１の音声付加情報サーバ８に相当する）からの付加情報は、音声付加情報データベース３７に登録される。音声付加情報データベース３７に登録された付加情報は、音声付加情報送出システム４１に送られ、ここでパケット化された後、マルチプレクサ４４に送られる。
【００４０】
また、ＧＵＩ用素材登録システム３４（図１のＧＵＩデータサーバ９に相当する）からのＧＵＩデータは、ＧＵＩ素材データベース３８に登録される。ＧＵＩ素材データベース３８に登録されたＧＵＩ素材データは、ＧＵＩオーサリングシステム４２に送られ、ここでＧＵＩ用の画面のデータが処理され、パケット化された後、マルチプレクサ４４に送られる。ここで、ＧＵＩ素材データにはジャケットの静止画情報、アーティストのコンサート情報、ＧＵＩ作成プログラム等が含まれるが、静止画情報は例えばＪＰＥＧ(Joint Photographic Experts Group)方式で圧縮された６４０×４８０ピクセル、テキスト情報は例えば８００文字以内のテキストデータとされ、それぞれパケット化される。
【００４１】
マルチプレクサ４４においては、テレビ番組送出システム３９からのビデオパケットおよびオーディオパケットと、ＭＰＥＧオーディオ送出システム４３Ａからのオーディオパケットと、ＡＴＲＡＣオーディオ送出システム４３Ｂからの４倍速オーディオパケットと、音声付加情報送出システム４１からの音声付加情報パケットと、ＧＵＩオーサリングシステム４２からのＧＵＩデータパケットとが時間軸多重化されると共に、キー情報サーバ１０（図１）からのキー情報を用いて暗号化される。
【００４２】
マルチプレクサ４４の出力は電波送出システム４５に送られ、ここで誤り訂正符号の付加、変調、および周波数変換等の処理を施された後、アンテナから衛星２に向けて送信される。
【００４３】
図４は地上局１から送信されるデータの一例を示すものである。なお、この図に示す各データは実際には時間軸多重化されている。図４に示すように、時刻ｔ１から時刻ｔ２の間が１つのイベントとされ、時刻ｔ２から次のイベントとされる。イベントとは楽曲のラインナップを変える単位（例えば１つの音楽放送番組）であって、３０分または１時間を単位とするのが普通である。例えば、最新ヒット曲のトップ２０の２０位から１１位を先のイベントで放送し、１０位から１位を後のイベントで放送すること等が考えられる。
【００４４】
図４に示すように、時刻ｔ１から時刻ｔ２のイベントでは、所定の内容Ａ１を有する音楽番組が放送されている。また、時刻ｔ２から始まるイベントでは、所定の内容Ａ２を有する音楽番組が放送されている。これら音楽番組の放送は、通常のテレビ番組と同様の映像とその映像に対応する音声で放送される。
【００４５】
一方オーディオデータは、例えば、１０曲分用意される。この１０曲分のオーディオデータが繰り返して送信される。すなわち、時刻ｔ１から時刻ｔ２のイベントでは、楽曲１として、楽曲Ｂ１が繰り返して送信され、楽曲２として、楽曲Ｃ１が繰り返して送信され、以下、同様に楽曲１０として楽曲Ｋ１が繰り返して送信される。時刻ｔ２から始まるイベントでは、楽曲１として、楽曲Ｂ２が繰り返して送信され、楽曲２としては楽曲Ｃ２が繰り返して送信され、以下、同様に楽曲１０では楽曲Ｋ２が繰り返して送信される。これは、ＭＰＥＧオーディオで圧縮されたオーディオデータおよびＡＴＲＡＣで圧縮されたオーディオデータに共通である。
【００４６】
つまり、図４において、ＭＰＥＧオーディオデータと４倍速ＡＴＲＡＣオーディオデータの（  ）内の数字が同じものは同じ楽曲に関するものである。また、音声付加情報の（  ）内の数字は、同じ番号を有する楽曲に付加されている付加情報である。さらに、ＧＵＩデータとして伝送される静止画データや各種ボタンのデータ、そしてＧＵＩを表示するためのデータも繰り返し伝送される。これらのデータはＭＰＥＧ２のトランスポートパケットで時分割多重化されて送信され、ＩＲＤ１２内では各データパケットのヘッダ情報を用いて再構築される。
【００４７】
次に、各家庭の受信設備３について説明する。図１に示したように、各家庭の受信設備としては、パラボラアンテナ１１と、ＩＲＤ１２と、ストレージデバイス１３と、テレビジョン受像機１４とが用意される。ここではＩＲＤ１２として、図５Ａに示すように、アナログオーディオ出力端子Ａｏｕｔと、ＩＥＣ９５８規格に準拠した光ケーブルでオーディオデータを送るデジタルオーディオ出力端子Ｄｏｕｔと、ＩＥＥＥ１３９４規格に準拠したデジタルインタフェース端子Ｄｉｆとを備えている。したがって、ストレージデバイス１３としては、アナログオーディオ入力端子Ａｉｎしか備えていないもの、ＩＥＣ９５８規格に準拠したデジタルオーディオ入力端子Ｄｉｎを備えているもの、ＩＥＥＥ１３９４規格に準拠したデジタルインタフェース端子Ｄｉｆを備えているものを接続することができる。尚、ここでストレージデバイスとしては、ＡＴＲＡＣで圧縮されたオーディオデータを記録媒体に記録するもの、例えばいわゆるミニディスク（ＭＤ、ソニー社商品名）レコーダ／プレーヤを想定する。
【００４８】
図５Ｂに示すように、ストレージデバイスとしてアナログオーディオ入力端子Ａｉｎしか備えていないストレージデバイス１３Ａが用いられる場合には、ＩＲＤ１２のアナログオーディオ出力端子Ａｏｕｔと、ストレージデバイス１３Ａのアナログオーディオ入力端子Ａｉｎとがアナログケーブルにより接続される。また、図５Ｃに示すように、ストレージデバイスとしてＩＥＣ９５８規格に準拠したデジタルオーディオ入力端子Ｄｉｎを備えているストレージデバイス１３Ｂが用いられる場合には、ＩＲＤ１２のデジタルオーディオ出力端子Ｄｏｕｔとストレージデバイス１３Ｂのデジタルオーディオ入力端子Ｄｉｎとの間が光ケーブルで接続される。さらに、図５Ｄに示すように、ストレージデバイスとしてＩＥＥＥ１３９４規格に準拠したデジタルインタフェース端子Ｄｉｆを備えているストレージデバイス１３Ｃが用いられる場合には、ＩＲＤ１２のデジタルインタフェース端子Ｄｉｆとストレージデバイス１３Ｃのデジタルインタフェース端子Ｄｉｆとの間がデジタルインタフェースケーブルで接続される。
【００４９】
図５Ｂに示すように、ストレージデバイスとしてアナログオーディオ入力端子をしか有していないものを用いる場合には、ダウンロードできるオーディオデータは、ＭＰＥＧオーディオによって圧縮されたものである。ダウンロードを指示された楽曲のＭＰＥＧオーディオデータは、ＩＲＤ１２内でＭＰＥＧオーディオのデコード処理を施され、さらにＤ／Ａ変換されて、アナログのオーディオ出力端子Ａｏｕｔから出力される。そして、ＩＲＤ１２からアナログケーブルを介してストレージデバイス１３Ａに送られる。なお、この場合、ＩＲＤ１２とストレージデバイス１３Ａとの間に、赤外線等の無線通信、あるいはケーブルによる有線通信を用いて制御信号のやりとりを行い、接続関係の確認やダウンロード動作の確認を行うように構成することも可能である。
【００５０】
図５Ｃに示すように、ストレージデバイスとしてＩＥＣ９５８規格に準拠したデジタルオーディオ入力端子Ｄｉｎを備えているストレージデバイス１３Ｂを用いる場合には、ダウンロードできるオーディオデータはＭＰＥＧオーディオによって圧縮されたものである。ダウンロードを指示された楽曲のＭＰＥＧオーディオデータは、ＩＲＤ１２内でＭＰＥＧオーディオのデコード処理を施され、デジタルオーディオ信号が光ケーブルを介してストレージデバイス１３Ｂに伝送される。この場合も、ＩＲＤ１２とストレージデバイス１３Ａとの間に、赤外線等の無線通信、あるいはケーブルによる有線通信を用いて制御信号のやりとりを行い、接続関係の確認やダウンロード動作の確認を行うように構成することも可能である。
【００５１】
図５Ｄに示すように、ストレージデバイスとしてＩＥＥＥ１３９４規格準拠のデジタルインタフェース端子Ｄｉｆを備えているストレージデバイス１３Ｃを用いる場合には、ダウンロードできるオーディオデータはＡＴＲＡＣによって圧縮されたものである。ダウンロードを指示された楽曲の４倍速ＡＴＲＡＣデータは、デコードされずにそのままＩＲＤ１２から、デジタルインタフェースケーブルを介してストレージデバイスに送られる。図５Ｂおよび図５Ｃの場合、ＭＰＥＧオーディオのデコード処理を必要とするため、ダウンロードはリアルタイムで実行される。一方、図５Ｄの場合、ＡＴＲＡＣデータのデコード処理は行われないと共に、ＡＴＲＡＣデータは４倍速で伝送されてくるので、ダウンロードは楽曲の長さの４分の１の時間で完了する。つまり４分の楽曲のオーディオデータは１分でダウンロードができる訳である。
【００５２】
このように、ストレージデバイス１３として使用される機器としては、アナログ入力のもの、デジタルオーディオデータを入力するもの、ＡＴＲＡＣデータを入力するのものの３種類があり得る。
【００５３】
図６はＩＲＤ１２の構成の一例を示すものである。このＩＲＤ１２は外部端子あるいはインタフェースとして、入力端子Ｔ１、アナログビデオ出力端子Ｔ２、アナログオーディオ出力端子Ｔ３，Ｔ４、光デジタルオーディオ出力端子５９、ＩＥＥＥ１３９４インタフェース６０、マンマシンインタフェース６１、ＩＣカードスロット６２、およびモデム６３を備えている。
【００５４】
入力端子ＴＩはＬＮＢ１５で所定の周波数に変換された受信信号が入力される端子である。アナログビデオ出力端子Ｔ２はアナログビデオ信号をテレビジョン受像機１４に供給する端子である。アナログオーディオ出力端子Ｔ３はアナログオーディオ信号をテレビジョン受像機１４に供給する端子である。アナログオーディオ出力端子Ｔ４は、図５のＡｏｕｔに相当する。光デジタルオーディオ出力端子５９は、図５のＤｏｕｔに相当する。そして、ＩＥＥＥ１３９４インタフェース６０は、図５のＤｉｆに相当する。マンマシンインタフェース６１は、視聴者によるリモートコマンダ６４からの入力を制御用ＣＰＵ５８へ送る。ＩＣカードスロット６２にはＩＣカード６５が挿入される。モデム６３は電話回線４を介して課金サーバ５と接続される。
【００５５】
チューナー５１は制御用ＣＰＵ５８からの設定信号に基づいて、入力端子Ｔ１から供給される受信信号の中から所定受信周波数の信号を選択し、さらに復調と誤り訂正処理を施してＭＰＥＧトランスポートストリームを出力する。デスクランブラ５２は、チューナー５１からＭＰＥＧトランスポートストリームを受け、ＩＣカード６５に記憶されているデスクランブル用の鍵データをＩＣカードスロット６２と制御用ＣＰＵ５８を介して受け取り、この鍵データを用いてデスクランブル処理を行う。トランスポートＩＣ５３は、視聴者がリモートコマンダ６４から入力した指令をマンマシンインタフェース６１と制御用ＣＰＵ５８とを介して受け取り、トランスポートストリームの中から所望の番組のＭＰＥＧビデオデータとＭＰＥＧオーディオデータを抽出する。ＭＰＥＧビデオデコーダ５５は、トランスポートＩＣ５３から供給されるＭＰＥＧビデオデータをデータ圧縮前のビデオデータに変換する。また、ＭＰＥＧビデオデコーダ５５はＯＳＤ（On Screen Display） 機能を有しており、この機能を利用して管面表示が可能となっている。ＮＴＳＣ変換ブロック５７はＭＰＥＧビデオデコーダ５５から供給されるビデオデータをＮＴＳＣ信号に変換してＮＴＳＣ信号をアナログビデオ出力端子Ｔ２に出力する。ＭＰＥＧオーディオデコーダ５４は、トランスポートＩＣ５３から供給されるＭＰＥＧオーディオデータをデータ圧縮前のオーディオデータ（ＰＣＭオーディオデータ）に変換する。ＤＡコンバータ５６は、ＭＰＥＧオーディオデコーダ５４から供給されるＰＣＭオーディオデータをアナログオーディオ信号に変換する。スイッチＳＷ１はＤＡコンバータ５６から供給されるアナログオーディオ信号をアナログオーディオ出力端子Ｔ３，Ｔ４に選択的に供給する。
【００５６】
制御用ＣＰＵ５８はＩＲＤ１２全体の制御処理を行う。また、視聴者がリモートコマンダ６４を用いて入力した指令をマンマシンインタフェース６１を介して受け取る。さらに、制御用ＣＰＵ５８にはモデム６３が接続されている。課金に必要な情報は上述のようにＩＣカード６５に記憶される。このＩＣカード６５の情報はモデム６３を用いて電話回線４を介して、課金サーバ５（図１）ヘ送られる。また、制御用ＣＰＵ５８は、ＭＨＥＧデコードエンジン機能を有しており、トランスポートストリームの中から図４に示した音声付加情報とＧＵＩデータを取り込む。そして、これらのデータを処理することにより、リストページの画面や各楽曲の情報ページの画面、楽曲の歌詞の表示画面、あるいはＥＰＧ用の画面データ等を形成する。このようにして形成された画面データはＭＰＥＧビデオデコーダ５５のＯＳＤ機能を用いて表示処理される。これにより、図２に示したように、画面上の指定のエリアに、放送されてくる楽曲のリストページや各楽曲の情報ページの画面、歌詞の画面、あるいはＥＰＧ用の画面を表示させることができる。
【００５７】
次に、図６に示したＩＲＤ１２の動作を説明する。
【００５８】
まず、図６に示したＩＲＤ１２において、上述した音楽放送番組のチャンネルを視聴者が選択する。
【００５９】
この時、入力端子Ｔ１に入力された受信信号はチューナー５１に供給される。チューナー５１では制御用ＣＰＵ５８からの設定信号に基づいて受信信号の中から所定受信周波数の信号が選択され、さらに復調と誤り訂正処理が施されてＭＰＥＧトランスポートストリームが出力される。
【００６０】
チューナー５１の出力はデスクランブラ５２に供給される。デスクランブラ５２では、ＩＣカード６５に記憶されているデスクランブル用の鍵データがＩＣカードスロット６２と制御用ＣＰＵ５８とを介して入力され、この鍵データを用いてＭＰＥＧトランスポートストリームのデスクランブルが行われる。デスクランブルされたＭＰＥＧトランスポートストリームはトランスポートＩＣ５３に送られる。
【００６１】
トランスポートＩＣ５３では、視聴者がリモートコマンダ６４から入力した指令がマンマシンインタフェース６１と制御用ＣＰＵ５８とを介して入力される。そして、その指令にしたがって、トランスポートストリームの中から音楽放送番組のＭＰＥＧビデオデータとＭＰＥＧオーディオデータ（図４中のＡ１）が抽出され、それぞれＭＰＥＧビデオデコーダ５５とＭＰＥＧオーディオデコーダ５４に送られる。ＭＰＥＧビデオデコーダ５５に送られたＭＰＥＧビデオデータはここでデータ圧縮前のビデオデータに変換され、次にＮＴＳＣ変換ブロック５７でコンポジットビデオ信号に変換された後、アナログビデオ出力端子Ｔ２からテレビジョン受像機１４（図１）へ出力される。ＭＰＥＧオーディオデコーダ５４に送られたＭＰＥＧオーディオデータはここでデータ圧縮前のオーディオデータに変換され、次にＤＡコンバータ５６でアナログオーディオ信号に変換された後、アナログオーディオ出力端子Ｔ３からテレビジョン受像機１４へ出力される。
【００６２】
このときにリモートコマンダ６４を用いて所定の操作、例えばリモートコマンダ６４に設けられた「インタラクティブ番組」というボタン（図示せず）を押すと、トランスポートＩＣ５３はＧＵＩデータと音声付加情報とを含むトランスポートストリームを抽出し、抽出したＧＵＩデータを制御用ＣＰＵ５８に供給する。制御用ＣＰＵ５８は供給されたＧＵＩデータをＭＨＥＧデコードエンジン機能を使って、画面データを形成する。このようにして形成された画面データはＭＰＥＧビデオデコーダ５５のＯＳＤ機能を用いて表示処理され、アナログオーディオ出力端子Ｔ３からテレビジョン受像機１４へ出力される。こうしてテレビジョン受像機１４には、図２に示すような画面が表示される。
【００６３】
また、例えばテレビジョン受像機１４に表示された画面中の歌詞ボタン２２が押された場合には、音声付加情報を含むトランスポートストリームがトランスポートＩＣ５３において抽出され、抽出された音声付加情報は、制御用ＣＰＵ５８に供給される。制御用ＣＰＵ５８は供給された音声付加情報から歌詞データを抽出し、歌詞表示画面データを形成する。このようにして形成された歌詞表示画面データはＭＰＥＧビデオデコーダ５５のＯＳＤ機能を用いて表示処理され、アナログオーディオ出力端子Ｔ３からテレビジョン受像機１４へ出力される。これによって、テレビジョン受像機１４のスピーカから楽曲の音声が流れると同時に、その音声と同期して、画面のテキスト表示エリア２１Ｃに歌詞が表示される。
図２に示した画面上で楽曲のリスト２１Ｂから楽曲が選択され、その楽曲のオーディオデータを試聴する場合には、選択された楽曲のオーディオデータがトランスポートＩＣ５３において抽出される。この時、それまでトランスポートＩＣ５３で抽出されていたＭＰＥＧオーディオデータは、音楽放送番組の映像に対応する音声が圧縮されたものであるが、このＭＰＥＧオーディオデータに代えて選択された楽曲のＭＰＥＧオーディオデータが抽出されるようになる。こうしてトランスポートＩＣ５３で抽出された、楽曲のＭＰＥＧオーディオデータは、ＭＰＥＧオーディオデコーダ５４でデコードされ、ＤＡコンバータ５６でデジタル／アナログ変換された後、スイッチＳＷ１を通ってアナログオーディオ出力端子Ｔ３からテレビジョン受像機１４へ出力され、試聴できるようになる。
【００６４】
図２に示した画面上でダウンロードボタン２８が押され、楽曲のオーディオデータをダウンロードする際には、トランスポートＩＣ５３からオーディオデータが抽出され、アナログオーディオ出力端子Ｔ４、光デジタルオーディオ出力端子５９、またはＩＥＥＥ１３９４インタフェース６０のいずれか一つからオーディオデータが出力される。
【００６５】
すなわち、アナログオーディオ出力端子Ｔ４にストレージデバイスが接続されている場合（図５Ｂの場合）には、トランスポートＩＣ５３においてＭＰＥＧオーディオデータを抽出し、ＭＰＥＧオーディオデコーダ５４でデコードし、さらにＤＡコンバータ５６でアナログ信号に変換した後、アナログケーブルを介してストレージデバイスに送出する。
【００６６】
また、光デジタルオーディオ出力端子５９にストレージデバイスが接続されている場合（図５Ｃの場合）には、トランスポートＩＣ５３においてＭＰＥＧオーディオデータを抽出し、ＭＰＥＧオーディオデコーダ５４でデコードした後、ＰＣＭオーディオ信号を光デジタルオーディオ出力端子５９を介してストレージデバイスに送出する。
【００６７】
さらにＩＥＥＥ１３９４インタフェース６０にストレージデバイスが接続されている場合（図５Ｄの場合）には、トランスポートＩＣ５３において４倍速ＡＴＲＡＣデータを抽出し、ＩＥＥＥ１３９４インタフェース６０を介して抽出された４倍速ＡＴＲＡＣデータをそのままストレージデバイスに送出する。
【００６８】
また、この時、トランスポートＩＣ５３においてＪＰＥＧ方式で圧縮されているジャケットデータが抽出され、ＩＥＥＥ１３９４インタフェース６０を介してストレージデバイスに送出される。さらに、この時、トランスポートＩＣ５３において歌詞やアーティストのプロフィール等のテキストデータが抽出され、ＩＥＥＥ１３９４インタフェース６０を介して、ストレージデバイスに送出される。
【００６９】
図７はＩＥＥＥ１３９４規格に準拠したデジタルインターフェイスを有しているディジタルオーディオディスクレコーダ／プレーヤ１６の構成の一例を示すブロック図である。このディジタルオーディオディスクレコーダ／プレーヤ１６としては、例えばいわゆるミニディスク（ＭＤ、ソニー社商品名）を使用することができる。ディジタルオーディオディスクレコーダ／プレーヤ１６はＩＥＥＥ１３９４インタフェース７１と、光デジタルオーディオ入力端子７２と、アナログオーディオ入力端子Ｔ１２と、アナログオーディオ出力端子Ｔ１３とを備えている。ＩＥＥＥ１３９４インタフェース７１は記録再生部７５と直接的に接続されている。光デジタルオーディオ入力端子７２はＡＴＲＡＣエンコーダ７４を介して記録再生部７５と接続されている。アナログオーディオ入力端子Ｔ１２はＡＤコンバータ７３を介してＡＴＲＡＣエンコーダ７４に接続されている。そして、アナログオーディオ出力端子Ｔ１３はＤＡコンバータ７８とＡＴＲＡＣデコーダ７７を介して記録再生部７５と接続されている。記録再生部７５にはディスク７６がセットされ、このディスク７６に対して記録再生を行う。なお、ここでは図示を省略したが、このディジタルオーディオディスクレコーダ／プレーヤ１６の全体の制御等を行う制御用ＣＰＵと、マンマシンインタフェースが設けられている。
【００７０】
尚、図５Ｂに示すような、アナログオーディオ入力端子Ａｉｎ（Ｔ１２）しか備えていないストレージデバイス１３Ａでは、光デジタルオーディオ入力端子７２とＩＥＥＥ１３９４インタフェース７１を備えていない。また、図５Ｃに示すような、デジタルオーディオ入力端子Ｄｉｎを備えるストレージデバイス１３Ｂでは、ＩＥＥＥ１３９４インタフェース７１を備えていない。
【００７１】
次に、このディジタルオーディオディスク１６の記録時の動作を説明する。ＩＥＥＥ１３９４インタフェース７１と図６に示したＩＲＤ１２のＩＥＥＥ１３９４インタフェース６０とが接続されている場合（図５Ｄの場合）には、ＩＥＥＥ１３９４インタフェース６０から送出された楽曲のオーディオデータ、歌詞等のテキストデータ、およびジャケット等の静止画データは、ＩＥＥＥ１３９４インタフェース７１から入力され、そのまま記録再生部７５によってディスク７６に記録される。後で説明するように、この時、ディスク７６上には拡張ＭＤフォーマットにより、各データが記録される。
【００７２】
図５Ｃに示すようにディジタルオーディオディスクレコーダ／プレーヤがＩＥＥＥ１３９４インターフェイス７１を備えておらず、光デジタルオーディオ入力端子７２を備えている場合には、光デジタルオーディオ入力端子７２にＩＲＤ１２の光デジタルオーディオ出力端子５９からＰＣＭオーディオデータが入力される。そして入力されたＰＣＭオーディオデータはＡＴＲＡＣエンコーダ７４でエンコードされた後、記録再生部７５によってディスク７６に記録される。
【００７３】
図５Ｂに示すようにディジタルオーディオディスクレコーダ／プレーヤがＩＥＥＥ１３９４インターフェイス７１と光デジタルオーディオ入力端子７２を備えておらず、アナログオーディオ出力端子Ｔ１２しか備えていない場合には、アナログオーディオ入力端子Ｔ１２にＩＲＤ１２のアナログオーディオ出力端子Ｔ４からアナログオーディオ信号が入力される。入力されたアナログオーディオ信号はＡＤコンバータ７３でアナログ／デジタル変換され、ＡＴＲＡＣエンコーダ７４でエンコードされた後、記録再生部７５によってディスク７６に記録される。
【００７４】
つまり、この図５Ｄに示すように、ストレージデバイス１３とＩＲＤ１２との間がＩＥＥＥ１３９４インタフェースで接続されている場合のみ、楽曲のオーディオデータと共にその歌詞データやジャケットの静止画データが記録される。一方、光デジタルオーディオ入出力端子での接続またはアナログオーディオ入出力端子での接続の場合には、オーディオデータのみが記録される。
【００７５】
再生時には、ＡＴＲＡＣデコーダ７７によって圧縮されたオーディオデータがデコードされ、ＤＡコンバータ７８でデジタル／アナログ変換されてアナログオーディオ信号がアナログオーディオ出力端子Ｔ１３から出力される。また、ディスク７６から再生された歌詞データやジャケットデータは、ＩＥＥＥ１３９４インタフェース７１からＩＲＤ１２のＩＥＥＥ１３９４インターフェイス６０に供給され、ＩＲＤ１２内のＣＰＵ５８およびＭＰＥＧビデオデコーダ５５で表示処理されて、テレビジョン受像機１４に表示される。尚、テレビジョン受像機１４に限らず、ディジタルオーディオディスクレコーダ／プレーヤ１６にＩＥＥＥ１３９４インターフェイスを備えたディスプレイやプリンタが接続されている場合には、そのディスプレイに歌詞やジャケットを表示できると共に、プリンタで印刷することも可能である。
【００７６】
このように、本発明を適用したＩＥＥＥ１３９４インターフェイスを備えたディジタルオーディオディスクレコーダ／プレーヤ１６、例えばいわゆるミニディスク（ＭＤ、ソニー社商品名）では、楽曲のオーディオデータと共にその歌詞データやジャケットデータの記録再生が可能である。
【００７７】
この記録再生は図８に示す拡張ＭＤフォーマットを用いることで可能になる。この図に示すように、楽曲のオーディオデータはＡＴＲＡＣ方式でメインデータエリアに記録される。これは現行のＭＤフォーマットと同じである。そして、拡張ＭＤフォーマットでは、さらに２．８Ｍｂｙｔｅの補助データ（Ａｕｘ  Ｄａｔａ）エリアに前述したジャケットデータや歌詞データ等を記録する。このフォーマットを使用することにより、楽曲のオーディオデータと共にジャケットデータや歌詞データを記録再生することができる。また、現行のＭＤフォーマットとの互換性を維持することができる。
【００７８】
図９は図６および図７に示した受信設備において、楽曲のオーディオデータ、および音声付加情報であるジャケットデータや歌詞データ等をダウンロードする際の動作を示すフローチャートである。
【００７９】
まず、ユーザがＩＲＤ１２において、これまで説明した楽曲データのダウンロードを可能にした音楽放送番組のチャンネルを選択する（ステップＳ１）。具体的には、テレビジョン受像機１４に表示されているＥＰＧを見ながら、図６のリモートコマンダ６４を使用してチャンネルの選択指令を与える。ＩＲＤ１２では、制御用ＣＰＵ５８がマンマシンインタフェース６１を介して、ユーザのチャンネル選択指令を受け取り、チューナー５１にチャンネル設定信号を送って、所望のチャンネルに設定する。
【００８０】
次に、チューナー５１の出力を用いて制御用ＣＰＵ５８は、電波強度をチェックする（ステップＳ２）。ここで、電波強度が所定レベル以下の場合には受信データの信頼性が低くなるため、これ以後の処理を中止する。
【００８１】
ユーザはステップＳ１においてＩＲＤ１２の受信チャンネルの設定を指令した後、ステップＳ１１において、ディジタルオーディオディスクレコーダ／プレーヤ１６、例えばいわゆるＭＤにディスクのセットを行う。さらに、ユーザはＩＲＤ１２とＭＤとがＩＥＥＥ１３９４インターフェイスで接続されているかどうかの確認を行った後（ステップＳ３）、楽曲の選択とそのダウンロードを決定する指令を与える（ステップＳ４）。この時、選択された楽曲を識別するための情報が制御用ＣＰＵ５８内のレジスタ（図示せず）に格納される。
【００８２】
ＩＲＤ１２の制御用ＣＰＵ５８は、ダウンロード指令が与えられると、ＭＤ（ディジタルオーディオディスクレコーダ／プレーヤ１６）にセットされているディスクのチェックをＩＥＥＥ１３９４インターフェイスを介して行う（ステップＳ５）。具体的には、記録再生部７５にディスク７６がセットされているかどうか、およびディスクの記録容量が十分であるか等のコマンドを発行し、そのレスポンスを監視する。もしディスクの記録容量が不足している場合にはユーザはディスクの交換を行う（ステップＳ１２）。
【００８３】
ステップＳ５において、ディスクチェックを行い、その結果がＯＫであればダウンロードを開始する（ステップＳ６）。すなわち、既述の通り、トランスポートＩＣ５３において４倍速ＡＴＲＡＣデータとジャケット等のＪＰＥＧ静止画像データと、歌詞等のテキストデータが抽出され、ＩＥＥＥ１３９４インタフェース６０を介して、ＭＤに送出される。これらのデータはＩＥＥＥ１３９４インタフェース７１から入力され、そのまま記録再生部７５によってディスク７６に記録される。
【００８４】
ＭＤでは、エラーがないかどうかチェックを行う（ステップＳ１３）。すなわち、ＩＲＤ１２からＭＤに対して伝送されるデータにはＩＲＤ１２内のＩＥＥＥ１３９４インタフェース６０により誤り訂正符号が付加されているが、ＭＤ内のＩＥＥＥ１３９４インタフェース７１でエラー訂正が出来なかった場合には、ディスク７６に正しいデータが記録されない。そこで、ＭＤでは、ＩＲＤ１２から送られて来るデータ中のエラーを監視し、エラーの訂正が出来ない場合には、ＩＲＤ１２に対してダウンロード用データの再送を要求する。
【００８５】
このようにしてエラーチェックを行いつつダウンロードデータの送信が終了したら（ステップＳ７）、次に、別の曲のダウンロードを行うかどうか判断する（ステップＳ８）。ここで、ダウンロードデータの送信が終了したかどうかは、ステップＳ４で選択されたチャンネル番号を有するＡＴＲＡＣデータ、テキストデータ、およびＪＰＥＧデータがトランスポートＩＣ５３から全て抽出されたかを制御用ＣＰＵ５８が見ることで判断する。そして、ダウンロードデータの送信が終了したと判断した場合には、ステップＳ４でレジスタに格納した情報を削除する。また、別の曲のダウンロードを行うかどうかは、ステップＳ４で選択された楽曲のダウンロードデータが全てＭＤに送信されたかを見ることで判断する。
【００８６】
そして、選択された全ての楽曲のダウンロードデータの送信が終了したら、ダウンロード処理を終える（ステップＳ９）。
【００８７】
以上、楽曲の選択と同時にダウンロードを行う場合の処理を説明した。既述したように、本発明が適用されたシステムでは、あらかじめダウンロードの予約を行うこともできる。この場合の処理は、予約時刻になった時にステップＳ２の処理を行い、その後ステップＳ６以降の処理が実行される。ステップＳ１およびステップＳ３からステップＳ５の処理は予約設定時に行われる。
【００８８】
以下、接続機器の判断とデータ選択時における制御用ＣＰＵ５８の処理について図１０〜図１２のフローチャートを参照しながら説明する。ここでは、接続のチェックはＩＥＥＥ１３９４インタフェース６０→デジタルオーディオ端子５９（ＩＥＣ９５８）→アナログオーディオ出力端子Ｔ４の順に行われる。
【００８９】
まず、ＩＥＥＥ１３９４インタフェース６０に機器が接続されているかどうかをチェックする処理を開始する（ステップＳ２１）。ＩＥＥＥ１３９４インタフェース６０にＩＥＥＥ１３９４ケーブルを介してＩＥＥＥ１３９４対応機器が接続されている場合には、その接続されている機器との間で双方向通信が可能なので、問い合わせ（ＩＮＱＵＩＲＹ）コマンドを送信する（ステップＳ２２）。このコマンドは、接続されている機器（以下、接続機器という）の機能等を問い合わせるコマンドである。
【００９０】
接続機器から応答が返ってきた場合（ステップＳ２３でＹＥＳ）には、その応答の内容から、その接続機器が４倍速ＡＴＲＡＣデータの記録が可能であるかどうか判断する（ステップＳ２４）。４倍速ＡＴＲＡＣデータの記録が可能であれば（ステップＳ２４でＹＥＳ）、トランスポートＩＣ５３において４倍速ＡＴＲＡＣデータを抽出し、それをＩＥＥＥ１３９４インタフェース６０を介して接続機器に送る（ステップＳ２５）。
【００９１】
次に、接続機器において記録に誤り（エラー）がないかどうかを判断する。前述したように、ＩＥＥＥ１３９４インタフェース６０とその接続機器との間では双方向通信が可能なので、接続機器は、正常に記録できたか否かを知らせる応答をＩＲＤ１２に送信することができる。ＩＲＤ１２内の制御用ＣＰＵ５８はこの応答を見て、記録に誤りがなかったかどうかを判断する（ステップＳ２６）。
【００９２】
記録に誤りがなかった場合には、指定された楽曲が接続機器において記録終了かどうかを判断する。つまり楽曲の最後まで記録されたか否かを判断する。また、ユーザーが複数の楽曲のダウンロードを指定した場合、すべての楽曲のダウンロードが終了したか否かの判断も同時に行われる。制御用ＣＰＵ５８は、視聴者がテレビジョン受像機１４のＧＵＩ画面を見ながらリモートコマンダ６４を用いて、ダウンロードする楽曲の情報を保持しているので、それら全ての楽曲がダウンロードされたかどうかを判断する（ステップＳ２７）。そして、指定された楽曲全ての記録が終了している場合（ステップＳ２７でＹＥＳ）には、処理を終了する。
【００９３】
なお、ステップＳ２６またはステップＳ２７でＮＯの場合には、ステップＳ２５に戻る。また、ステップＳ２３またはステップＳ２４でＮＯの場合には、光デジタルオーディオ出力端子５９に機器が接続されているかどうかをチェックする処理に移行する。次に、この処理について説明する。
【００９４】
まず、光デジタルオーディオ出力端子５９に機器が接続されているかどうかをチェックする処理を開始する（ステップＳ２８）。ＩＲＤ１２の光デジタル出力インタフェース５９に物理的なケーブルセンサーが装備されている場合は、制御用ＣＰＵ５８がそのセンサーの出力を見る。また、センサーが装備されていない場合には、視聴者が例えば図１３に示されているようなＧＵＩ画面を見ながら、リモートコマンダ６４を用いて「ＩＥＣ９５８機器」を選択したかどうかを判断する（ステップＳ２９）。ステップＳ２９でＹＥＳの場合には、トランスポートＩＣ５３においてＭＰＥＧオーディオデータを抽出し（ステップＳ３０）、それをＭＰＥＧオーディオデコーダ５４でデコードした後、ＰＣＭオーディオ信号を光デジタルオーディオ出力端子５９を介して、接続されている機器（以下、接続機器という）に送る（ステップＳ３１）。そして、視聴者により指定された楽曲全てのオーディオデータの接続機器への送信が終了するまで、ステップＳ３０〜Ｓ３１の処理を繰り返した後（ステップＳ３２でＹＥＳ）、処理を終了する。ステップＳ２９でＮＯの場合には、アナログオーディオ出力端子Ｔ４に機器が接続されているかどうかをチェックする処理に移行する。次に、この処理について説明する。
【００９５】
まず、アナログオーディオ出力端子Ｔ４に機器が接続されているかどうかをチェックする処理を開始する（ステップＳ３３）。このとき、ステップＳ２９と同様、ＩＲＤ１２のアナログオーディオ出力端子Ｔ４に物理的なケーブルセンサーが装備されている場合は、制御用ＣＰＵ５８がそのセンサーの出力を見る。また、センサーが装備されていない場合には、視聴者が例えば図１３に示されているようなＧＵＩ画面を見ながら、リモートコマンダ６２を用いて「アナログ入力機器」を選択したがどうかを判断する（ステップＳ３４）。ステップＳ３４でＹＥＳの場合には、トランスポートＩＣ５３においてＭＰＥＧオーディオデータを抽出し（ステップＳ３５）、それをＭＰＥＧオーディオデコーダ５４でデコードし、さらにＤＡコンバータ５６でアナログオーディオ信号に変換した後、アナログオーディオ出力端子Ｔ４を介して、この端子に接続されている機器（以下、接続機器という）に送る（ステップＳ３６）。そして、視聴者により指定された楽曲全てが接続機器への送信が終了するまで、ステップＳ３５〜Ｓ３６の処理を繰り返した後（ステップＳ３７でＹＥＳ）、処理を終了する。ステップＳ３４でＮＯの場合には、ＩＲＤ１２の出力端子にはストレージデバイスが接続されていないと判断し、処理不可とする。
【００９６】
このように、ＩＲＤ１２は自分に接続されているストレージデバイスの種類に応じて、４倍速ＡＴＲＡＣデータ、デジタルオーディオデータ、またはアナログオーディオ信号を送信する。
次にＩＲＤ１２の第２の実施例について図１４を用いて説明する。図１４において上述の図６と異なる点は、バッファメモリ６６が設けられていることである。バッファメモリ６６は、例えばＲＡＭで構成されており、トランスポートＩＣから供給される楽曲のオーディオデータおよび歌詞データを一時的に蓄積する。このオーディオデータおよび歌詞データは試聴時に読み出され、それぞれＭＰＥＧオーディオデコーダ５４およびＭＰＥＧビデオデコーダ５５に供給される。ＭＰＥＧビデオデコーダ５５は、トランスポートＩＣ５３から供給されるＭＰＥＧビデオデータをデータ圧縮前のビデオデータに変換する。また、バッファメモリ６６から供給される歌詞データはＭＰＥＧビデオデコーダ５５のＯＳＤ機能を利用して画像化される。ＭＰＥＧオーディオデコーダ５４は、トランスポートＩＣ５３またはバッファメモリ６６から供給されるＭＰＥＧオーディオデータをデータ圧縮前のオーディオデータ（ＰＣＭオーディオデータ）に変換する。
【００９７】
次に、図１５のフローチャートを参照しながら、図１４に示したＩＲＤ１２の動作を説明する。
【００９８】
まず、図１４に示したＩＲＤ１２において、これまで説明した音楽放送番組のチャンネルを視聴者が選択すると、テレビジョン受像機１４の画面上に図２に示したような画像が表示される（ステップＳ４１）。
【００９９】
トランスポートＩＣ５３では、イベントの更新があった場合に（ステップＳ４２でＹＥＳ）、トランスポートストリームの中から図４に示したＭＰＥＧオーディオデータ（１）〜（１０）が抽出され、バッファメモリ６６に蓄積される（ステップＳ４３）。ここで、音楽放送番組のチャンネルを視聴者が選択し、その受信を開始した場合には、新たにイベントが検出されるので、イベントの更新があったものとして処理される。なお、ＭＰＥＧオーディオデータ（１）〜（１０）の各曲を先頭から末尾まで蓄積してもよいが、バッファメモリ６６の容量に制約がある場合には一部、例えば先頭から３０秒のみを蓄積してもよい。例えば３０分のイベント単位毎に５分の曲が１０曲繰り返し放送されている場合に、２５６ＫｂｐｓのＭＰＥＧオーディオデータの全１０曲をフルに蓄積すると、
２５６［Kbps］×３００［ｓ］×１０［曲］＝７６８Ｍバイト
であり、全曲の先頭から３０秒間だけを蓄積すると、
２５６［Kbps］×３０［ｓ］×１０［曲］＝７６.８Ｍバイト
であり、３曲だけを先頭から３０秒間蓄積すると、
２５６［Kbps］×３０［ｓ］×３［曲］＝２３.０４Ｍバイト
となる。
【０１００】
図２に示した画面上で楽曲のリスト２１Ｂから楽曲が選択され、その楽曲のオーディオデータを試聴する場合には（ステップＳ４４でＹＥＳ）、選択された楽曲のオーディオデータがバッファメモリ６６から読み出され、ＭＰＥＧオーディデコーダ５４でデコードされ、ＤＡコンバータ５６でデジタル／アナログ変換された後、スイッチＳＷ１を通ってアナログオーディオ出力端子Ｔ３からテレビジョン受像機１４へ出力される。また、その楽曲の歌詞データがバッファメモリ６６から読み出され、ＭＰＥＧビデオデコーダ５５に供給される。そして、ここでＯＳＤ機能を利用して画像データとされ、ＮＴＳＣ変換ブロック５７でコンポジットビデオ信号とされ、アナログビデオ出力端子Ｔ２からテレビジョン受像機へ出力される。つまり、テレビジョン受像機１４のスピーカから楽曲の音声が流れると同時に、その音声と同期して、画面のテキスト表示エリア２１Ｃに歌詞が表示される（ステップＳ４５）。
【０１０１】
この時、制御用ＣＰＵ５８は、バッファメモリ６６に蓄積されている楽曲のオーディオデータおよびその歌詞データをそれぞれ先頭の部分またはサビの部分等から読み出し、ＭＰＥＧオーディオデコーダ５４またはＭＰＥＧビデオデコーダ５５に供給する。楽曲のオーディオデータおよび歌詞データは、バッファメモリ６６中にＰＥＳパケットの形で蓄積されており、そのヘッダには時間情報が入っているので、それを見ることにより楽曲の先頭あるいはサビの部分の先頭を検出することができる。そして、この時、バッファメモリ６６に楽曲のオーディオデータおよびその歌詞データがフルに記憶されている場合であっても、試聴は楽曲をフルに聴けるのではなく、その一部を聴けるようにしている。
【０１０２】
このようにして、あるイベントの楽曲の試聴が終了したら（ステップＳ４６）、ステップＳ４２に戻る。ステップＳ４２では、イベントの更新があったかどうかを判断し、更新がなければ（ステップＳ４２でＮＯ）、試聴指令の有無を判断する（ステップＳ４４）。ここで、試聴指令があるということは、１つのイベント内で１つの楽曲の試聴が終了した後、２曲目の試聴指令があることを意味する。そして、試聴の指令があれば（ステップＳ４４でＹＥＳ）、試聴の開始（ステップＳ４５）、終了（ステップＳ４６）の後、再びステップＳ４２に戻る。この処理を繰り返すことにより、１つのイベント内で複数の楽曲を試聴することができる。そして、イベントが更新されたら（ステップＳ４２でＹＥＳ）、バッファメモリ６６がクリアされ、新たなイベント内の楽曲のオーディオデータとその歌詞データがバッファメモリ６６に記憶される。
【０１０３】
つまり、イベントが変化する毎に、バッファメモリ６６に、そのイベント内で配信される楽曲のオーディオデータおよびその楽曲の歌詞データがバッファメモリ６６に記憶される。そして、ＧＵＩ画面を見て、視聴者が楽曲のリストの中から試聴したい楽曲を選択すると、その楽曲のオーディオデータおよび歌詞データバッファメモリ６６から読み出され、その楽曲の先頭やサビの部分から試聴することができる。この試聴の際には、楽曲のオーディオデータに同期して歌詞データが表示される。
【０１０４】
なお、試聴用の楽曲のオーディオデータおよび歌詞データをハードディスク等の記録媒体に蓄積するように構成してもよい。
次にＩＲＤ１２の第３の実施例について図１６を用いて説明する。図１６において上述の図６と異なる点は、ＡＴＲＡＣデコーダ５４ＢとＤＡコンバータ５６ＢとスイッチＳＷ２、３が設けられていることである。トランスポートＩＣ５３は、デスクランブラ５２から供給されたトランスポートストリームの中から所望のテレビ番組のＭＰＥＧビデオデータとＭＰＥＧオーディオデータとＡＴＲＡＣデータを抽出する。ＡＴＲＡＣデコーダ５４Ｂは、トランスポートＩＣ５３から供給されるＡＴＲＡＣデータをデータ圧縮前のオーディオデータ（ＰＣＭオーディオデータ）に変換する。ＤＡコンバータ５６Ｂは、ＡＴＲＡＣデコーダ５４Ｂから供給されるオーディオデータをアナログオーディオ信号に変換する。スイッチＳＷ２はＤＡコンバータ５６Ａまたは５６Ｂから供給されるアナログオーディオ信号をアナログオーディオ出力端子Ｔ３，Ｔ４に選択的に供給する。スイッチＳＷ３は、ＭＰＥＧオーディオデコーダ５４ＡまたはＡＴＲＡＣデコーダ５４Ｂから供給されるオーディオデータを選択的に光デジタル出力インタフェース５９に供給する。
【０１０５】
ＩＲＤ１２内にオーディオデータのデコーダとしてＭＰＥＧオーディオデコーダ５４Ａが１個のみ設けられている場合（図６の場合）には、このＭＰＥＧオーディオデコーダ５４Ａが処理できるオーディオデータはテレビ番組放送のオーディオデータとＭＰＥＧオーディオ（１）〜（１０）（図４）とのいずれか一方である。つまり、音楽放送番組を視聴している時は、ＭＰＥＧオーディオデコーダ５４Ａはそのオーディオデータの処理に占有されてしまうため、同時にＭＰＥＧオーディオ（１）〜（１０）を試聴することはできない。逆にＭＰＥＧオーディオ（１）〜（１０）の内の一つの楽曲の試聴中にテレビ番組放送を視聴することはできない。
ＩＥＥＥ１３９４インターフェイスを備えたＭＤを所有しているユーザーは、上述のようにＡＴＲＡＣデータをミニディスク７６にダウンロードしている最中に、ＭＰＥＧオーディオデコーダ５５を用いて音楽放送番組を視聴できるが、光デジタルオーディオ入力端子またはアナログオーディオ入力端子しか備えていないストレージデバイス１３Ａ、１３Ｂを所有しているユーザーは、楽曲のオーディオデータをダウンロードしている際にはＭＰＥＧオーディオデコーダ５５がダウンロード処理に占有されてしまうので、音楽放送番組を視聴することはできない。
しかし、図１６のＩＲＤ１２はＭＰＥＧオーディオデコーダ５４Ａだけでなく、ＡＴＲＡＣデコーダ５４Ｂを備えているので、光デジタルオーディオ入力端子またはアナログオーディオ入力端子しか備えていないストレージデバイス１３Ａ、１３Ｂを所有しているユーザーであっても、このような使い勝手が可能となる。
【０１０６】
すなわち、トランスポートＩＣ５３からＭＰＥＧオーディオデータおよびＡＴＲＡＣデータが抽出され、各々ＭＰＥＧオーディオデコーダ５４ＡとＡＴＲＡＣデコーダ５４Ｂによりデコードされる。デコードされたオーディオデータは、ＤＡコンバータ５６Ａおよび５６Ｂでテジタル／アナログ変換された後、スイッチＳＷ２を介して、アナログオーディオ出力端子Ｔ３とＴ４に別々に出力される。例えばアナログオーディオ出力端子Ｔ３にテレビジョン受像機１４を接続して音楽放送番組の音声をテレビジョン受像機１４のスピーカーから出力し、アナログオーディオ出力端子Ｔ４または光デジタル出力端子５９にストレージデバイス１３Ａまたは１３Ｂを接続し、ＡＴＲＡＣデータをデコードした楽曲をダウンロードすることができる。また、ＭＰＥＧオーディオデコーダ５４ＡでＭＰＥＧオーディオ（１）〜（１０）の内の１曲をデコードして視聴すると共に、ＡＴＲＡＣデコーダ５４ＢでＡＴＲＡＣデータ（１）〜（１０）の内の１曲をデコードして視聴することができる。
【０１０７】
すなわち、図１６に示したＩＲＤ１２では、図１７Ａに示すように、ＭＰＥＧオーディオデコーダ５４Ａでデコードされたオーディオデータを試聴すると同時に、ＡＴＲＡＣデコーダ５４Ｂでデコードされたオーディオデータをダウンロードする状態と、図１７Ｂに示すように、ＭＰＥＧオーディオデコーダ５４Ａでデコードされたオーディオデータをダウンロードすると同時に、ＡＴＲＡＣデコーダ５４Ｂでデコードされたオーディオデータを試聴する状態とを切り換えることができる。また、この時、試聴するオーディオデータとダウンロードするオーディオデータとを個別に設定できる。
【０１０８】
但し、ＡＴＲＡＣデータは４倍速で伝送されてくるために、伝送されてきたデータを一旦貯えるバッファメモリ（図示せず）が必要となる。
【０１０９】
ＩＲＤ１２の第４の実施例について図１８を用いて説明する。このＩＲＤは、図１６におけるＡＴＲＡＣデコーダ５４Ｂに代えて第２のＭＰＥＧオーディオデコーダを設けたものである。つまり、このＩＲＤは第１のＭＰＥＧオーディオデコーダ５４Ａ−１と第２のＭＰＥＧオーディオデコーダ５４Ａ−２を備えている。このＩＲＤにおいても、図１７Ａ，Ｂと同様な状態に設定することができる。
【０１１０】
すなわち、図１９Ａに示すように、第１のＭＰＥＧオーディオデコーダ５４Ａ−１でデコードされたオーディオデータを試聴すると同時に、第２のＭＰＥＧオーディオデコーダ５４Ａ−２でデコードされたオーディオデータをダウンロードする状態と、図１９Ｂに示すように、第１のＭＰＥＧオーディオデコーダ５４Ａ−１でデコードされたオーディオデータをダウンロードすると同時に、第２のＭＰＥＧオーディオデコーダ５４Ａ−２でデコードされたオーディオデータを試聴する状態とを切り換えることができる。
【０１１１】
このように、ＩＲＤ１２には、複数のオーディオデコーダが設けられているため、オーディオデータの試聴とダウンロードを同時に行うことが可能である。なお、図１６および図１８における、ＭＰＥＧオーディオデコーダおよびＡＴＲＡＣデコーダは、ハードロジックで構成することもソフトウェアで構成することも可能である。また図１６、１８では図示されていないが、ＩＥＥＥ１３９４インターフェイス６０を設けても構わない。
ＩＲＤ１２の第５の実施例について説明する。図２０は第５の実施例における音楽コンテンツ配信システムの全体構成を示すものである。ＩＲＤ１２は、例えば電話回線４を介して課金サーバ５およびサービス利用データ集計センタ（以下、集計センタという）８０と結ばれている。
【０１１２】
また、ＩＲＤ１２には、図２１に示すように、試聴された楽曲に関する情報およびダウンロードされた楽曲に関する情報が記憶される不揮発性メモリ７０が設けられている。楽曲のオーディオデータの試聴やダウンロードが行われると、ＩＣカード６５に課金情報が記憶されると共に、その情報が不揮発性メモリ７０に記憶される。ここで、楽曲に関する情報には、ダウンロードあるいは試聴された楽曲名およびその日時等がある。この不揮発性メモリ７０に記憶された情報は、定期的（例えば１週間に１度）に電話回線４を介して集計センタ２０に送られる。集計センタ２０はこの情報により、どの楽曲がいつ試聴あるいはダウンロードされたかを知ることができる。また、この情報を加工することにより、良く購入された楽曲、興味を持たれた楽曲、顧客個人の趣向、購入された日時等の情報を取得することができる。そして、この取得情報を次回の番組編成、楽曲のＣＤやＭＤの販売、あるいは個人へのダイレクトマーケッティング（チケットの優先案内、ダウレクトメールの配付等）等に活用することができる。
また、ＩＣカード６５に記憶された課金に必要な情報を課金サーバ５に送る日時、課金サーバ５の電話番号、バッファメモリ６６に記憶された楽曲に関する情報を集計センタ２０に送信する日時、および集計センタ２０の電話番号は、図３のキー情報の中にＥＭＭ（Entitlement Management Messege）データとして伝送され、この情報に基づいて、課金データおよび楽曲情報のアップロードが行われる。
【０１１３】
なお、本発明はオーディオデータを配信し、それを受信してダウンロードするシステムだけでなく、静止画データ、動画データ、あるいはソフトウェア等を配信し、それらをダウンロードするシステムに適用することも可能である。また、本発明は地上波放送やケーブル放送によりデータを配信するシステムにも適用できる。尚、上述の説明では、ストレージデバイスとしてミニディスク（ＭＤ、ソニー社商品名）レコーダ／プレーヤを想定したが、これに限るものではない。
【産業上の利用可能性】
【０１１４】
以上、詳細に説明したように、本発明によれば、データ受信装置に接続されているデータ蓄積装置の種類に応じて、そのデータ蓄積装置に蓄積するデータの種類を自動的に選択することが可能になる。また本発明によれば、楽曲のデジタルオーディオデータと共に、その歌詞データやジャケットデータ等の付加情報もダウンロードすることができる。
【図面の簡単な説明】
【０１１５】
【図１】本発明が適用された音楽コンテンツ配信システムの一例の全体構成を示すブロック図である。
【図２】図１に示したシステムにおけるテレビジョン受像機に表示される画面の一例を示す図である。
【図３】図１に示したシステムにおける送信側の構成の一例を示すブロック図である。
【図４】図１に示したシステムにおいて送信されるデータの一例の構造を示す図である。
【図５】図１に示したシステムにおけるＩＲＤとストレージデバイスとの接続関係を示す説明図である。
【図６】図１に示したシステムにおけるＩＲＤの構成の一例を示すブロック図である。
【図７】ＩＥＥＥ１３９４インターフェイスを備えたディジタルオーディオディスク装置の構成の一例を示すブロック図である。
【図８】ディジタルオーディオディスクの記録フォーマットを示す図である。
【図９】楽曲のオーディオデータ、および音声付加情報をダウンロードする際の動作を示すフローチャートである。
【図１０】図１に示したシステムにおけるＩＲＤが自分の出力端子とストレージデバイスとの接続関係をチェックした後、接続されているストレージデバイスに応じた出力データを選択してダウンロードを行う際の処理の一部を示すフローチャートである。
【図１１】図１に示したシステムにおけるＩＲＤが自分の出力端子とストレージデバイスとの接続関係をチェックした後、接続されているストレージデバイスに応じた出力データを選択してダウンロードを行う際の処理の他の一部を示すフローチャートである。
【図１２】図１に示したシステムにおけるＩＲＤが自分の出力端子とストレージデバイスとの接続関係をチェックした後、接続されているストレージデバイスに応じた出力データを選択してダウンロードを行う際の処理のさらに他の一部を示すフローチャートである。
【図１３】図１１及び図１２に示した処理においてＧＵＩ画面に表示される画像の一例を示す図である。
【図１４】第２の実施例におけるＩＲＤの構成を示すブロック図である。
【図１５】図１４に示したＩＲＤにおける試聴時の処理を示すフローチャートである。
【図１６】第３の実施例におけるＩＲＤの構成を示すブロック図である。
【図１７】図１６に示したＩＲＤの機能を説明する図である。
【図１８】第４の実施例におけるＩＲＤの構成を示すブロック図である。
【図１９】図１８に示したＩＲＤの機能を説明する図である。
【図２０】第５の実施例における音楽コンテンツ配信システムの一例の全体構成を示すブロック図である。
【図２１】第５の実施例におけるＩＲＤの構成を示すブロック図である。
【図１】
0004577430.tif 000002
【図２】
0004577430.tif 000003
【図３】
0004577430.tif 000004
【図４】
0004577430.tif 000005
【図５】
0004577430.tif 000006
【図６】
0004577430.tif 000007
【図７】
0004577430.tif 000008
【図８】
0004577430.tif 000009
【図９】
0004577430.tif 000010
【図１０】
0004577430.tif 000011
【図１１】
0004577430.tif 000012
【図１２】
0004577430.tif 000013
【図１３】
0004577430.tif 000014
【図１４】
0004577430.tif 000015
【図１５】
0004577430.tif 000016
【図１６】
0004577430.tif 000017
【図１７】
0004577430.tif 000018
【図１８】
0004577430.tif 000019
【図１９】
0004577430.tif 000020
【図２０】
0004577430.tif 000021
【図２１】
0004577430.tif 000022